(57)【要約】【課題】フィレットを持つ面形状部分を精度良く加工することを目的とする。【解決手段】エンドミル２は、曲面凸形状かつ円弧形状に形成された底刃２Ａと、隅部に設けられて円弧形状に形成されたラジアス刃２Ｂとを備え、ラジアス刃２Ｂの円弧部分の半径は、加工目標とする形状のうちフィレット形状部分５３の円弧部分の半径と一致し、底刃２Ａの円弧部分の半径は、フィレット形状部分５３に隣接する面形状部分５２の円弧部分の最小半径以下である。【選択図】図１
2020131396.tif 000002
【特許請求の範囲】
【請求項１】
曲面凸形状かつ円弧形状に形成された底刃と、
隅部に設けられて円弧形状に形成されたラジアス刃と、
を備え、
前記ラジアス刃の円弧部分の半径は、加工目標とする形状のうちフィレット形状部分の円弧部分の半径と一致し、
前記底刃の円弧部分の半径は、前記フィレット形状部分に隣接する面形状部分の円弧部分の最小半径以下であるエンドミル。
【請求項２】
前記底刃は、１回のパスによって前記フィレット形状部分が目標範囲内の形状に形成されるように、前記底刃が占める領域のエンドミル軸方向に対して垂直方向の直径が設定されている請求項１に記載のエンドミル。
【請求項３】
１回のパスによって形成する前記フィレット形状部分の目標範囲は、１回のパスによって前記底刃と前記ラジアス刃の境界部分の刃が切削して形成した部分における、厚さ方向の削り残し量によって定められた範囲である請求項２に記載のエンドミル。
【請求項４】
１回のパスによって形成する前記フィレット形状部分の目標範囲は、１回のパスによって前記ラジアス刃が切削して形成した、前記フィレット形状部分の最上部の位置によって定められた範囲である請求項２に記載のエンドミル。
【請求項５】
前記フィレット形状部分において、平面視してコーナ部が形成されるとき、前記底刃が占める領域のエンドミル軸方向に対して垂直方向の直径は、前記コーナ部の直径よりも小さい請求項２に記載のエンドミル。
【請求項６】
曲面凸形状かつ円弧形状に形成された底刃と、
隅部に設けられて円弧形状に形成されたラジアス刃と、
を備えるエンドミルの製造方法であって、
前記ラジアス刃の円弧部分の半径は、加工目標とする形状のうちフィレット形状部分の円弧部分の半径と一致するように設定され、
前記底刃の円弧部分の半径は、前記フィレット形状部分に隣接する面形状部分の円弧部分の最小半径以下であるように設定されるエンドミルの製造方法。
【発明の詳細な説明】
【技術分野】
【０００１】
本発明は、エンドミル及びエンドミルの製造方法に関するものである。
【背景技術】
【０００２】
胴体又は主翼のスキンなどの板状の航空機構造用部品を製造する場合、板状部材（ワーク）に対して、切削加工によって複曲面を形成することがある。複曲面の形成は、ボールエンドミル又はラジアスエンドミルを用いて、等高線加工又は筋彫り加工を行うことが一般的である。
【０００３】
切削工具には、ボールエンドミル又はラジアスエンドミルと異なり、外周刃又は底刃において曲面凸形状の円弧部分を有し、当該円弧部分の曲率半径が大きいバレル工具又はレンズ工具と呼ばれるものがある。下記の特許文献１〜３には、外周刃及び底刃の両方において曲率を有する工具が開示されている。
【先行技術文献】
【特許文献】
【０００４】
【特許文献１】特許第６２７８１７０号公報
【特許文献２】米国特許第６６８４７４２号明細書
【特許文献３】米国特許出願公開第２０１０／０１７２７０３号明細書
【発明の概要】
【発明が解決しようとする課題】
【０００５】
底刃において曲面凸形状の円弧部分を有するレンズ工具は、ワークに対して底面（面形状）を形成する場合に用いられる。これにより、ボールエンドミルを用いる場合よりも送り間隔（ピックフィード）を大きくすることができ、加工時間の削減や、面粗度の向上を図ることができる。
【０００６】
ワークに対して、底面と、底面に対して立ち上がる側面を形成しつつ、底面と側面の接続部には、強度向上のため、丸みのないピン角とするのではなく、フィレットを設ける場合がある。上述したレンズ工具を用いる場合、フィレットの曲率半径によっては、底面の削り残しと側面の削り残しが生じる。そのため、切削加工によって形成された加工品において、誤差が発生する。発生した誤差を除去するためには、やすり（サンディング）加工などの追加作業を行って、形状を修正するなどの作業が必要になる。
【０００７】
なお、複曲面を有する加工品を形成する場合、ＣＡＭ制御や加工装置の制約によって、エンドミルを傾けることが困難である。その場合、先端点制御（工具中心制御）によって、切削加工を実施する必要がある。
【０００８】
本発明は、このような事情に鑑みてなされたものであって、フィレットを持つ面形状部分を精度良く加工することが可能なエンドミル及びエンドミルの製造方法を提供することを目的とする。
【課題を解決するための手段】
【０００９】
上記課題を解決するために、本発明のエンドミル及びエンドミルの製造方法は以下の手段を採用する。
すなわち、本発明に係るエンドミルは、曲面凸形状かつ円弧形状に形成された底刃と、隅部に設けられて円弧形状に形成されたラジアス刃とを備え、前記ラジアス刃の円弧部分の半径は、加工目標とする形状のうちフィレット形状部分の円弧部分の半径と一致し、前記底刃の円弧部分の半径は、前記フィレット形状部分に隣接する面形状部分の円弧部分の最小半径以下である。
【００１０】
この構成によれば、底刃が曲面凸形状かつ円弧形状に形成され、ラジアス刃が隅部に設けられて円弧形状に形成されており、軸周りに回転する切削加工によって、ラジアス刃が加工目標とする形状のうちフィレット形状部分を形成でき、底刃がフィレット形状部分に隣接する面形状部分を形成できる。
【００１１】
ラジアス刃の円弧部分の半径が、加工目標とする形状のうちフィレット形状部分の円弧部分の半径と一致するから、１回のパスによって、フィレット形状部分が目標範囲内の形状（目標とする形状に基づいて決定される範囲）に形成される。また、底刃の円弧部分の半径が、加工目標とする形状のうち面形状部分の円弧部分の最小半径以下である。面形状部分の円弧部分が様々な半径を有するとき、最小半径の部分については、１回のパスによって、面形状部分が目標とする形状に形成される。
【００１２】
上記発明において、前記底刃は、１回のパスによって前記フィレット形状部分が目標範囲内の形状に形成されるように、前記底刃が占める領域のエンドミル軸方向に対して垂直方向の直径が設定されてもよい。
【００１３】
この構成によれば、底刃が占める領域のエンドミル軸方向に対して垂直方向の直径（底刃径）は、１回のパスによってフィレット形状部分が目標範囲内の形状に形成されるように設定されている。
【００１４】
上記発明において、１回のパスによって形成する前記フィレット形状部分の目標範囲は、１回のパスによって前記底刃と前記ラジアス刃の境界部分の刃が切削して形成した部分における、厚さ方向の削り残し量によって定められた範囲でもよい。
【００１５】
この構成によれば、１回のパスによって形成されるフィレット形状部分について、底刃とラジアス刃の境界部分が切削して形成した部分における厚さ方向の削り残し量が目標範囲の形状となる。
【００１６】
上記発明において、１回のパスによって形成する前記フィレット形状部分の目標範囲は、１回のパスによって前記ラジアス刃が切削して形成した、前記フィレット部分の最上部の位置によって定められた範囲でもよい。
【００１７】
この構成によれば、１回のパスによって形成されるフィレット形状部分について、ラジアス刃が切削して形成したフィレット形状部分の最上部の位置が目標範囲の形状となる。
【００１８】
上記発明において、前記フィレット形状部分において、平面視してコーナ部が形成されるとき、前記底刃が占める領域のエンドミル軸方向に対して垂直方向の直径は、前記コーナ部の直径よりも小さくてもよい。
【００１９】
この構成によれば、底刃が占める領域のエンドミル軸方向に対して垂直方向の直径は、コーナ部の直径よりも小さいから、フィレット形状部分に目標とする形状のコーナ部を形成できる。
【００２０】
本発明に係るエンドミルの製造方法は、曲面凸形状かつ円弧形状に形成された底刃と、隅部に設けられて円弧形状に形成されたラジアス刃とを備えるエンドミルの製造方法であって、前記ラジアス刃の円弧部分の半径は、加工目標とする形状のうちフィレット形状部分の円弧部分の半径と一致するように設定され、前記底刃の円弧部分の半径は、前記フィレット形状部分に隣接する面形状部分の円弧部分の最小半径以下であるように設定される。
【発明の効果】
【００２１】
本発明によれば、フィレットを持つ面形状部分を精度良く加工することができる。
【図面の簡単な説明】
【００２２】
【図１】本発明の一実施形態に係る加工装置を示す構成図である。
【図２】ワークを示す斜視図である。
【図３】ワークを示す部分拡大平面図である。
【図４】本発明の一実施形態に係るエンドミルとワークを示す縦断面図であり、図３のIV−IV線矢視図である。
【図５】本発明の一実施形態に係るエンドミルとワークを示す縦断面図であり、図３のV−V線矢視図である。
【図６】図５の破線囲み部分のエンドミルとワークを示す部分拡大縦断面図である。
【図７】本発明の一実施形態に係る加工装置のエンドミルを示す概略図である。
【図８】本発明の一実施形態に係るエンドミルとワークを示す部分拡大縦断面図である。
【発明を実施するための形態】
【００２３】
以下に、本発明に係る実施形態について、図面を参照して説明する。
本発明の一実施形態に係る加工装置１は、図１に示すように、例えば、エンドミル２と、駆動部３と、制御部４を備える。加工装置１は、エンドミル２によって、ワーク５０を切削して、ワーク５０に所定の形状を形成する。本実施形態における所定の形状は、特に、ワーク５０に対して深さ方向に形成された凹状形状である。ワーク５０は、例えばアルミニウム合金、チタン合金などの金属材料である。
【００２４】
図１〜図４に示すように、例えば、ワーク５０は、板状部材であり、ワーク５０の強度を確保するため、一面側において高さ方向（厚さ方向）に突出したリブ５１が形成され、リブ５１に囲まれた領域が薄肉に形成される。この場合、リブ５１の最上面以外の領域が、凹状形状を有する。凹状形状は、凹状部分の底部に形成された面形状部分５２を有する。そして、凹状形状は、面形状部分５２とリブ５１の接続部には、強度向上のため、丸みのないピン角とするのではなく、フィレット形状部分５３が設けられる。
【００２５】
面形状部分５２は、曲率のない平面でもよいし、曲率を有する曲面形状でもよい。フィレット形状部分５３は、所定の半径を有する円弧形状である。フィレット形状部分５３のうち一端側は、面形状部分５２と連続的に形成され、フィレット形状部分５３のうち他端側は、リブ５１の側壁面を構成する、又は、リブ５１の側壁面と連続的に形成される。
【００２６】
面形状部分５２とフィレット形状部分５３の境界部５４は、面形状部分５２の曲率（曲率が０（ゼロ）である平面の場合を含む。）と、フィレット形状部分５３の曲率とが変化する部分である。
【００２７】
エンドミル２は、軸線周りに回転しながら、軸線方向又は送り方向に移動することによって、ワーク５０を切削できる。エンドミル２は、図７に示すように、曲面凸形状に形成された底刃２Ａと、隅部に設けられて円弧形状に形成されたラジアス刃２Ｂを有する。
【００２８】
底刃２Ａは、エンドミル２の軸線上部分が最も下方に位置するように突出しており、所定の半径（ラジアス）を有する円弧形状に形成されている。ラジアス刃２Ｂは、底刃２Ａの外周側隅部に設けられ、所定の半径（ラジアス）を有する円弧形状に形成されている。底刃２Ａの円弧部分の半径は、エンドミル２の工具径（外径）よりも大きく、いわゆるボールエンドミルの円弧部分の半径よりも大きい。
【００２９】
駆動部３は、複数のモータや、エンドミルを切り換える構成を有する切換部などを備える。主軸モータは、電力を受けて駆動し、エンドミル２を軸線周りに回転させる。移動用モータは、電力を受けて駆動し、エンドミル２を軸線方向又は軸線方向に対して垂直方向（送り方向）に移動させる。
【００３０】
制御部４は、例えば、面形成部５と、フィレット形成部６などを有する。
【００３１】
面形成部５は、底刃２Ａによってワーク５０に対して加工目標とする形状のうち面形状部分５２を形成するように駆動部３を制御する。フィレット形成部６は、ラジアス刃２Ｂによってワーク５０に対してフィレット形状部分５３を１回のパスで形成するように駆動部３を制御する。
【００３２】
制御部４は、例えば、ＣＰＵ（Central  Processing  Unit）、ＲＡＭ（Random  Access  Memory）、ＲＯＭ（Read  Only  Memory）、及びコンピュータ読み取り可能な記憶媒体等から構成されている。そして、各種機能を実現するための一連の処理は、一例として、プログラムの形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００３３】
ワーク５０に対して加工目標とする形状は、凹状形状であり、凹状形状は、面形状部分５２と、面形状部分５２に隣接するフィレット形状部分５３を有する。
【００３４】
面形状部分５２は、一つのワーク５０において様々な曲率を有してもよく、それらの曲率のうち最小曲率半径を有する円弧部分の曲率半径をＭｒとする。また、図８に示すように、フィレット形状部分５３の円弧部分の曲率半径をＦｒとし、凹状形状の最小加工深さをＡｄとする。さらに、図３に示すように、凹状部分にＲ形状のコーナー部分５５を形成する場合、すなわち凹状部分を平面視してコーナー部分５５に円弧形状の曲面を形成する場合、そのコーナー部分５５の曲率半径をＣｒとする。
【００３５】
形成する加工品の目標形状における要求公差として、板厚公差ｔ、フィレット稜線公差ｅを設定する。板厚公差ｔは、高さ方向の寸法であり、フィレット稜線公差ｅは、高さ方向に対して直交し、かつ、フィレット切断面の円弧形状の半径方向の寸法である。
【００３６】
次に、本実施形態に係るエンドミル２の形状について説明する。
エンドミル２は、底刃（レンズ部）２Ａが曲面凸形状かつ円弧形状に形成され、ラジアス刃（ノーズ部）２Ｂが隅部に設けられて円弧形状に形成されている。エンドミル２は、軸周りに回転する切削加工によって、ラジアス刃２Ｂが加工目標とする形状のうちフィレット形状部分５３を形成でき、底刃２Ａがフィレット形状部分５３に隣接する面形状部分５２を形成できる。
【００３７】
本実施形態のエンドミル２によれば、板状部材において凹状形状を形成しつつ、１回のパスによって、フィレット形状部分５３が目標範囲内の形状（目標とする形状に基づいて決定される範囲）に形成される。エンドミル２のラジアス刃２Ｂの曲率半径（ノーズ径）をＮＲ、底刃２Ａの曲率半径（レンズ径）をＬＲ、底刃２Ａが占める領域のエンドミル２の軸方向に対して垂直方向の直径（底刃径）をＬＤとする。
【００３８】
ノーズ曲率半径ＮＲ、レンズ曲率半径ＬＲ及び底刃径ＬＤは、例えば、以下のとおり設定される。これにより、エンドミル２を最大径とすることができ、効率良く切削を行うことができる。
【００３９】
ノーズ曲率半径ＮＲは、フィレット形状部分５３の円弧部分の曲率半径Ｆｒと同一とする。
ＮＲ  ＝  Ｆｒ
レンズ曲率半径ＬＲは、面形状部分５２のうち最小曲率半径を有する円弧部分の曲率半径Ｍｒ以下とする。
ＬＲ  ≦  Ｍｒ
【００４０】
また、底刃径ＬＤは、以下の３条件を満たすものを選定するとよい。これにより、使用可能なエンドミル２の底刃径ＬＤの最大値を選定できる。
【００４１】
底刃径ＬＤは、コーナー部分５５の直径（＝曲率半径Ｃｒ×２）よりも小さい値とする。
条件１：  ＬＤ  ＜  Ｃｒ×２
板厚削り残し量Ｄｔは、例えば板厚公差ｔの１／５以下とする。
条件２：  Ｄｔ  ≦  ｔ／５
フィレット稜線形状誤差Ｄｅは、例えばフィレット稜線公差ｅの１／５以下とする。
条件３：  Ｄｅ  ≦  ｅ／５
なお、板厚削り残し量Ｄｔとフィレット稜線形状誤差Ｄｅの最大値は、公差に対する１／５に限定されず、他の値でもよい。ただし、例えば、公差に対して１／２を最大値とすると、目標とする形状に対する誤差量が大きすぎ、調整加工が発生するおそれがある。
【００４２】
ここで、板厚削り残し量Ｄｔは、図６に示すように、フィレット形状部分５３と面形状部分５２の境界部５４の刃が切削して形成した削り残し部分に関する厚さ方向（高さ方向）の量である。また、フィレット稜線形状誤差Ｄｅは、図５に示すように、ラジアス刃２Ｂが切削して形成したフィレット形状部分５３の最上部におけるフィレット切断面の円弧形状の半径方向のずれ量である。
【００４３】
板厚削り残し量Ｄｔは、後述するとおり、底刃径ＬＤと、レンズ曲率半径ＬＲの関数によって定まる値である。
Ｄｔ  ＝  ｆ（ＬＤ，  ＬＲ）
フィレット稜線形状誤差Ｄｅは、底刃径ＬＤと、レンズ曲率半径ＬＲ、ノーズ曲率半径ＮＲ、凹状形状の最小加工深さＡｄの関数によって定まる値である。
Ｄｅ  ＝  ｇ（ＬＤ，  ＬＲ，  ＮＲ，  Ａｄ）
したがって、レンズ曲率半径ＬＲ、ノーズ曲率半径ＮＲが決まれば、使用可能な底刃径ＬＤの最大値を選定できる。
【００４４】
板厚削り残し量Ｄｔとフィレット稜線形状誤差Ｄｅは、目標とする形状の面形状部分５２について、曲率がなく平面であるとき、最大となる。
【００４５】
底刃２Ａの断面曲線は、
【数１】
2020131396.tif 000003
で表される。
ラジアス刃２Ｂの断面曲線は、
【数２】
2020131396.tif 000004
で表される。
ワークにおけるフィレット形状部分５３の断面曲線は、
【数３】
2020131396.tif 000005
で表される。
【００４６】
板厚削り残し量Ｄｔは、底刃２Ａの式（１）より、（ｘ，ｙ）＝（ＬＤ／２，Ｄｔ）であるので、
【数４】
2020131396.tif 000006
である。板厚削り残し量Ｄｔは、底刃径ＬＤと、レンズ曲率半径ＬＲの関数によって定まる値である。したがって、板厚削り残し量Ｄｔが所定値Ｄｔ１であるときの底刃径ＬＤと、レンズ曲率半径ＬＲに関する関数ｆが定まる。
【００４７】
フィレット稜線形状誤差Ｄｅを算出するためには、ラジアス刃２Ｂの式（２）の中心（ａ，ｂ）を求める必要がある。また、底刃２Ａの式（１）とラジアス刃２Ｂの式（２）は、（ｘ，ｙ）＝（ＬＤ／２，Ｄｔ）での接線が同じである必要がある。
式（１）の接線の方程式より、
【数５】
2020131396.tif 000007
式（２）の接線の方程式より、
【数６】
2020131396.tif 000008
上記２つの式から、（ａ，ｂ）はそれぞれ以下のとおりである。
【数７】
2020131396.tif 000009
【数８】
2020131396.tif 000010
【００４８】
フィレット稜線形状誤差Ｄｅは、ラジアス刃２Ｂの式（２）と、ワークにおけるフィレット形状部分５３の式（３）のｙ＝Ａｄのときのｘ座標の差分である。したがって、式（２）より、（ｘ，ｙ）＝（ｘＮ，Ａｄ）とすると、ｘＮは、
【数９】
2020131396.tif 000011
で表される。また、式（３）より、（ｘ，ｙ）＝（ｘＦ，Ａｄ）とすると、ｘＦは、
【数１０】
2020131396.tif 000012
で表される。以上より、フィレット稜線形状誤差Ｄｅは、
【数１１】
2020131396.tif 000013
である。すなわち、フィレット稜線形状誤差Ｄｅは、底刃径ＬＤと、レンズ曲率半径ＬＲ、ノーズ曲率半径ＮＲ、凹状形状の最小加工深さＡｄの関数によって定まる値である。したがって、フィレット稜線形状誤差Ｄｅが所定値Ｄｅ１、凹状形状の最小加工深さＡｄが所定値Ａｄ１、ノーズ曲率半径ＮＲが所定値ＮＲ１であるときの底刃径ＬＤと、レンズ曲率半径ＬＲに関する関数ｇが定まる。
【００４９】
底刃径ＬＤは、コーナー部分５５の直径（＝曲率半径Ｃｒ×２）よりも小さい値とする。
関数ｆによって、レンズ曲率半径ＬＲごとに、板厚削り残し量Ｄｔが所定値Ｄｔ１以下となる底刃径ＬＤの範囲が決まり、関数ｇによって、レンズ曲率半径ＬＲ及びノーズ曲率半径ＮＲごとに、フィレット稜線形状誤差Ｄｅが所定値Ｄｅ１以下となる底刃径ＬＤの範囲が決まる。
【００５０】
よって、板厚削り残し量Ｄｔが所定値Ｄｔ１以下となり、フィレット稜線形状誤差Ｄｅが所定値Ｄｅ１以下となるように、あるレンズ曲率半径ＬＲについて最大の底刃径ＬＤｍａｘを選定すれば、効率良く切削を行うことができる。
【００５１】
板厚削り残し量Ｄｔに関する関数ｆ、フィレット稜線形状誤差Ｄｅに関する関数ｇのいずれも、レンズ曲率半径ＬＲが大きいほど、選択できる底刃径ＬＤの最大値が大きくなる。
また、フィレット稜線形状誤差Ｄｅに関する関数ｇによれば、ノーズ曲率半径ＮＲが大きいほど、選択できる底刃径ＬＤの最大値が小さくなる傾向にある。
さらに、フィレット稜線形状誤差Ｄｅに関する関数ｇによれば、凹状形状の最小加工深さＡｄが深いほど、選択できる底刃径ＬＤの最大値が大きくなる傾向にある。
【００５２】
以上より、フィレット形状部分５３の円弧部分の曲率半径Ｆｒが小さく、凹状形状の最小加工深さＡｄが深い場合、板厚削り残し量Ｄｔが制約となる。すなわち、板厚削り残し量Ｄｔに関する関数ｆの方で、板厚削り残し量Ｄｔが所定値（例えば板厚公差ｔに基づく値）以下となるように、底刃径ＬＤの最大値が選択され、レンズ曲率半径ＬＲ、ノーズ曲率半径ＮＲが決定されるようになる。
【００５３】
他方、フィレット形状部分５３の円弧部分の曲率半径Ｆｒが大きく、凹状形状の最小加工深さＡｄが浅い場合、板厚削り残し量Ｄｔに関する関数ｆ、フィレット稜線形状誤差Ｄｅに関する関数ｇの両方が考慮される。すなわち、板厚削り残し量Ｄｔに関する関数ｆの方で、板厚削り残し量Ｄｔが所定値（例えば板厚公差ｔに基づく値）以下となり、かつ、フィレット稜線形状誤差Ｄｅに関する関数ｇの方で、フィレット稜線形状誤差Ｄｅが所定値（例えばフィレット稜線公差に基づく値）以下となるように、底刃径ＬＤの最大値が選択され、レンズ曲率半径ＬＲ、ノーズ曲率半径ＮＲが決定されるようになる。
【００５４】
以上、本実施形態によれば、フィレットを持つどのような曲率半径の面形状部分（複曲面）５２であっても、効率良くかつ精度良く加工することができる最大の底刃径ＬＤを有する工具を得ることができる。そして、この工具により、フィレットを持つ面形状部分５２を精度良く加工することができる。
【符号の説明】
【００５５】
１          ：加工装置
２          ：エンドミル
２Ａ        ：底刃
２Ｂ        ：ラジアス刃
３          ：駆動部
４          ：制御部
５          ：面形成部
６          ：フィレット形成部
５０        ：ワーク
５１        ：リブ
５２        ：面形状部分
５３        ：フィレット形状部分
５４        ：境界部
５５        ：コーナー部分
【図１】
2020131396.tif 000014
【図２】
2020131396.tif 000015
【図３】
2020131396.tif 000016
【図４】
2020131396.tif 000017
【図５】
2020131396.tif 000018
【図６】
2020131396.tif 000019
【図７】
2020131396.tif 000020
【図８】
2020131396.tif 000021